(57)【要約】【課題】長期間にわたりエレクトレット材料を用いた防塵キャップの塵埃吸着性を維持することのできる保管方法と保管手段を提供すること。【解決手段】エレクトレット材料を用いたヘヤーキャップを使用後に保管をするに際して、該ヘヤーキャップを保管する材料に該ヘヤーキャップが接触する状態で保管して、使用前のキャップ電荷量の１０％以上を回復せしめることを特徴とするエレクトレットキャップの電荷回復保管方法であり、また、エレクトレット材料を用いたヘヤーキャップを保管するための袋であり、開口部を有するとともに可撓性のあるフィルム、布帛、金属箔、紙あるいはそれらの複合物が用いられて形成されてなることを特徴するエレクトレットキャップの電荷回復保管袋。【選択図】図１
2006348395.tif 000002
【特許請求の範囲】
【請求項１】
エレクトレット材料を用いたヘヤーキャップを使用後に保管をするに際して、該ヘヤーキャップを保管する材料に該ヘヤーキャップが接触する状態で保管して、使用前のキャップ電荷量の１０％以上を回復せしめることを特徴とするエレクトレットキャップの電荷回復保管方法。
【請求項２】
ヘヤーキャップ中に存在するエレクトレット材料の面積の１０％以上が保管する材料と接触するようにして保管することを特徴とする請求項１記載のエレクトレットキャップの電荷回復保管方法。
【請求項３】
キャップを保管する材料が、可撓性のあるフィルム、布帛、金属箔、紙あるいはそれらの複合物により構成されてなることを特徴とする請求項１または２記載のエレクトレットキャップの電荷回復保管方法。
【請求項４】
キャップを保管する材料の体積抵抗率が８×１０16Ωｃｍ以下であることを特徴とする請求項１、２または３記載のエレクトレットキャップの電荷回復保管方法。
【請求項５】
エレクトレット材料を用いたヘヤーキャップを保管するための袋であり、開口部を有するとともに可撓性のあるフィルム、布帛、金属箔、紙あるいはそれらの複合物が用いられて形成されてなることを特徴するエレクトレットキャップの電荷回復保管袋。
【請求項６】
保管袋を形成する材料の表面に毛羽あるいは立毛をもつ布帛を用いてなることを特徴とする請求項５記載のエレクトレットキャップの電荷回復保管袋。
【請求項７】
保管袋の全面積が、８０ｃｍ2 以上でかつ２５００ｃｍ2 以下であることを特徴とする請求項５または６記載のエレクトレットキャップの電荷回復保管袋。
【請求項８】
開口部を有し、該開口部を閉じることができる接合部を有して構成されてなることを特徴とする請求項５、６または７記載のエレクトレットキャップの電荷回復保管袋。
【発明の詳細な説明】
【技術分野】
【０００１】
本発明は、食品産業、電子産業、精密機器産業、医療産業、薬品産業、宇宙産業、原子力産業などの各種分野において、頭部からの発塵を防止する必要がある際に、近年、良く使用されているエレクトレット材料を用いた防塵キャップの着用後の保管方法と、該キャップの電荷回復保管袋に関する。
【０００２】
さらに詳しくは、特に、塵埃の発生、毛髪などの落下などをエレクトレット材料を用いた防塵キャップを着用することよって防止することが行われているが、これは、エレクトレット材料が有する電荷の作用により塵埃や毛髪などを吸着することによって防塵せんとするものである。本発明は、このような該防塵キャップを着用者が着用した後に、低下した該防塵キャップの塵埃、毛髪などの吸着力を回復させることができる該キャップの保管方法と保管袋に関するものである。
【背景技術】
【０００３】
近年、食品産業、薬品産業、電子産業などでエレクトレット材料からなる防塵キャップが、頭部からの発塵を防止する有効な方法として使用されている（特許文献１）。
【０００４】
しかし、このようなエレクトレット材料からなる防塵キャップは、着用がされると、頭部からの発塵あるいは毛髪付着および外部の空気中の塵埃またはイオン等を吸着して、使用していくにつれて電荷の中和現象が生じるものである。
【０００５】
このため、長期間の使用がされると、徐々に塵埃などの吸着力は低下するという不都合点があった。
【０００６】
なお、ここで、本発明でいうエレクトレット材料とは、その外部に電界がなくても、半恒久的に電気分極を保持して、周囲に電界を形成する材料をいう。
【特許文献１】特開昭６２−２２９８１８号公報
【発明の開示】
【発明が解決しようとする課題】
【０００７】
本発明の目的は、上述したような不都合点に鑑み、長期間にわたりエレクトレット材料を用いた防塵キャップの塵埃吸着性を維持することのできる方法と手段を提供せんとするものである。
【課題を解決するための手段】
【０００８】
上述した目的を達成する本発明は、以下の構成を有するものである。
【０００９】
すなわち、一つの発明は、エレクトレットキャップの保管方法に関するものであって、エレクトレット材料を用いたヘヤーキャップを使用後に保管をするに際して、該ヘヤーキャップを保管する材料に該ヘヤーキャップが接触する状態で保管して、使用前のキャップ電荷量の１０％以上を回復せしめることを特徴とするエレクトレットキャップの電荷回復保管方法である。
【００１０】
また、他の発明は、エレクトレットキャップの保管袋に関するものであって、エレクトレット材料を用いたヘヤーキャップを保管するための袋であり、開口部を有するとともに可撓性のあるフィルム、布帛、金属箔、紙あるいはそれらの複合物が用いられて形成されてなることを特徴するエレクトレットキャップの電荷回復保管袋である。
【発明の効果】
【００１１】
本発明のエレクトレットキャップの電荷回復保管方法と電荷回復保管袋を用いれば、エレクトレット材料を用いた防塵キャップが有する塵埃吸着効果を、長期間にわたって維持することができるようになる。
【００１２】
したがって、本発明の方法と保管袋を用いることにより、薬品工場、食品工場、電子工場などでの各種の使用の場面において、従来よりも長期間にわたって防塵効果を維持して該エレクトレット防塵キャップを使用することを可能にするものである。
【発明を実施するための最良の形態】
【００１３】
以下、本発明のエレクトレットキャップの電荷回復保管方法およびエレクトレットキャップの電荷回復保管袋について、図面などを用いて更に詳しく説明する。
【００１４】
図１は、本発明に係るエレクトレットキャップの電荷回復保管方法の一例を示す概略モデル正面図であり、保管材料１に接触するようにエレクトレットキャップ２が保管されている状態をモデル的に示したものである。
【００１５】
本発明において、「エレクトレットヘヤーキャップを保管する材料に該ヘヤーキャップが接触する状態で保管する」とは、エレクトレットヘヤーキャップ内に含まれる空気を排除して、該ヘヤーキャップの両面に保管材料が接触する状態を維持して、外部空気から該ヘヤーキャップを遮断するように保管することをいう。
【００１６】
エレクトレットヘヤーキャップ内に含まれる空気を排除するのは、例えば、かさ高なヘヤーキャップを伸ばして空気を排除したり、また、エレクトレット不織布が表面に出るようにヘヤーキャップを折りたたんで空気を排除するなどの手段で行うことができる。
【００１７】
さらに、「保管する」には時間的な要素もあり、本発明では「保管する」とは、少なくとも１時間以上、好ましくは６時間程度以上、さらに好ましくは１日間程度を、上記状態のもとにおくことをいう。
【００１８】
また、「接触する」とは、エレクトレットヘヤーキャップを構成するエレクトレット不織布などのエレクトレット材料と保管材料が相互に触れ合うことをいう。この接触することにより、後述するように、電荷回復という現象が生じているものと解される。
【００１９】
本発明において、保管材料は、実際にエレクトレットキャップに接触して該キャップを保管するものであるが、効果的に接触することができるように、好ましくは接触性に富むものがよく、フィルム、布帛（織物、編物、不織布）、金属箔、紙、金属板、その複合物などを用いることができる。
【００２０】
保管方法の態様は、エレクトレットヘヤーキャップを保管する材料に、ヘヤーキャップが接触する状態で保管がなされさえすればそれでよく、保管の具体的状態、保管袋の具体的態様は種々のものがあり、特には限定されるものではない。
【００２１】
各種の態様を図２〜図６によりさらに説明すると、図２は、図１に示した保管状態を側面から見た概略モデル側面図であり、保管材料１に接触するようにキャップ２が保管されている状態をモデル的に示したものであり、このような態様でもよい。
【００２２】
図３は、保管材料１からなる開口部３を有する保管袋４に、エレクトレットキャップ２が保管されている状態をモデル的に示した概略モデル正面図であり、このような態様でもよい。
【００２３】
図４は、図３に概略を示した保管方法の保管状態の一例を示した概略モデル側面図である。この状態は、保管袋４に開口部３から挿入されたエレクトレットキャップ２が保管材料１に接触して保管されているものであり、このような態様でもよい。
【００２４】
図５は、保管材料１からなる開口部３を有する保管袋４に、開口部３を閉じるための紐５が取り付けられ、袋内にキャップ２が保管されている状態をモデル的に示した概略モデル正面図であり、このような態様でもよい。
【００２５】
図６は、図５に示したエレクトレットキャップ２が保管されている状態を示した概略モデル側面図である。閉じ紐５で開口部３が閉じられて、保管材料１にキャップ２が接触して保管されているものであり、このような態様でもよい。
【００２６】
本発明のエレクトレットキャップの保管方法、保管袋は、使用前の該エレクトレットキャップの電荷量の１０％以上が回復されるものであるが、以下に、そのことについての説明をする。
【００２７】
ここでいう電荷量の回復（回復率）は、以下の式により定義される値である。
回復率（％）＝｛（使用後のエレクトレットキャップを保管した後の電荷量）／（使用前のエレクトレットキャップの電荷量）｝×１００
【００２８】
エレクトレットキャップの塵埃吸着性は、ファラディーゲージで測定したキャップ電荷量と関係すると考えられており、そこで、ファラディーゲージを用いてエレクトレットキャップの電荷量を測定したので、その結果を図７を用いてまず説明する。
【００２９】
図７において、まず外筒７と絶縁された内筒６にエレクトレット防塵キャップ２を入れて、電荷量をエレクトロメーター８で測定する。
【００３０】
保管袋は、図３に示した態様のものを用い、その保管材料にはアルミ箔を用いた。キャップ２には、図８にモデル的に示したような構造のエレクトレット不織布９と通気性の良いネット１０からなるものを用いた。そこで、このエレクトレットキャップを昼間に着用し、夜間に保管する試験を３日間繰返して行なった。
【００３１】
その電荷保持率を図９に示した。この結果から、使用により電荷は漸次減衰するが、本発明に従って保管することによって再び電荷が回復し、３日間、優れた電荷保持率を示したものである。
【００３２】
比較のために、本発明にかかる保管方法を行わずに、単に吊り下げ放置したキャップについて同日間測定したが、回復することなく漸次、電荷の減衰が生じ、一定値に達することが確認された。なお、これらの測定では、保管して取り出しを行うときの摩擦帯電を防止するため、測定前に試料をアースして除電している。
【００３３】
これらの結果は、エレクトレットキャップに使用されているエレクトレット不織布が、保管材料に接触することにより、静電誘導現象により内部電荷を回復するためと考えられるものである。さらに、保管は、外部空気を遮断するため、塵埃付着の防止および空気中の反対イオンによる中和現象の防止に効果があったと考えられるものである。
【００３４】
エレクトレットキャップとの接触性を向上するために、保管袋の構成面積は８０ｃｍ2 以上、かつ２５００ｃｍ2 以下のみのを用いるのが好ましい。小さ過ぎるとスムーズにエレクトレットキャップの挿入をすることが難しく、また大きすぎるとエレクトレットキャップと保管材料との接触性が低くなるためである。ここで、「保管袋の構成面積」とは、保管袋を作るために必要な面積をいう。
【００３５】
本発明を実施するために、エレクトレットキャップを保管袋に保管する際には、空気を十分に抜いてキャップと袋が広い面積で良好に接触するようにするのが好ましく、接触面積はキャップのエレクトレット材料面積の１０％以上とすることが好ましい。エレクトレットキャップの保管は、本発明にかかる保管袋にそのまま入れるか、折りたたんで入れるようにしてもよい。
【００３６】
また、折りたたんで入れるにしろ、本発明にかかる保管袋にエレクトレットキャップを挿入した状態（保管時の状態）で、エレクトレットキャップの最大厚さは５０ｍｍ以下であるようにすることが良好な接触性を維持できる点から好ましい。
【００３７】
本発明にかかる保管袋は、開口部を閉じることができるものであることが、接触性向上の観点から好ましく、その開口部を閉じる具体化手段として、例えば、紐、面ファスナー、あるいはファスナーなどの接合部材をとり付けることができる。
【００３８】
また、本発明にかかる保管材料の表面形態は、より接触性を上げて、電荷の回復性を早めるため毛羽および／または立毛をもつ織物、紡績織物、あるいは不織布などの繊維布帛として形成されているものが特に好ましい。毛羽および／または立毛のある繊維布帛は、アンカー効果によりエレクトレットキャップのエレクトレット材料の内部にまで毛羽繊維あるいは立毛繊維が入り込み、静電誘導効果を上げて電荷回復を促進することができるからである。
【００３９】
本発明を実施するにあたり、保管材料は、静電誘導を生じやすいもので形成されていることがよく、体積抵抗率値が８×１０16Ωｃｍ以下のものを用いることが好ましい。さらに好ましくは、保管時の電荷回復時間をより短縮するために、体積抵抗率値が１×１０13Ωｃｍ以下のものを用いることである。保管材料の体積抵抗率は、その下限値は好ましくは、１×１０-6Ωｃｍ程度までである。ここで、体積抵抗率とはＪＩＳ−Ｋ６９１１を用いて測定される値である。
【００４０】
本発明を実施するにあたり、ヘヤーキャップと保管材料の接触性を上げるため、該保管材料としては、可撓性を有するものを用いることが好ましく、具体的には、カンチレバー法（ＪＩＳ１０９６）で測定した剛軟度が１５ｃｍ以下であるものが好ましい。さらに、好ましくは該剛軟度が１０ｃｍ以下のものである。
【００４１】
また、保管材料は、立体的なキャップへの密着性を良くする観点から、伸縮性のある材料で形成されていることが好ましい。
【実施例】
【００４２】
実施例１
体積抵抗率２×１０-5Ωｃｍで剛軟度６ｃｍであるアルミ箔でできた幅２０ｃｍ、長さ３０ｃｍの長方形（面積１２００ｃｍ2 ）の保管袋に、エレクトレット材料からなる防塵キャップを８時間着用後に一晩保管した。保管時は、袋内・エレクトレットキャップ内の空気を除去して袋にキャップが接触するようにした。接触面積は、エレクトレット材料の約３５％であった。保管時の厚みは９ｍｍであった。防塵キャップの使用前の電荷量は、９．２×１０-8クーロンであり、使用後４．５×１０-8クーロンに低下したが、保管して翌朝測定したところ９．０×１０-8クーロンに回復していた（回復率：９８％）。
【００４３】
これを５日間繰り返して保管後の電荷量を測定したところ７．２×１０-8クーロンであった（回復率：７８％）。
【００４４】
比較として、使用後保管なしで吊り下げ放置した５日後のキャップの電荷量は、漸次減衰を示した。
【００４５】
実施例２
体積抵抗率１×１０16Ωｃｍ、剛軟度４ｃｍのポリエチレンフィルムできた幅２５ｃｍ、長さ３５ｃｍの長方形（面積１７５０ｃｍ2 ）の保管袋に、エレクトレット材料とネット材料からなるエレクトレット防塵キャップを８時間使用後に一晩保管した。保管時のエレクトレット材料と袋材との接触面積は、エレクトレット材料の約３６％であった。保管時は袋内・ヘヤーキャップ内の空気を除去して袋にキャップが接触するようにした。保管時の最大厚さは１５ｍｍであった。該空気の除去は、キャップを折り畳んで空気を除去した後に、袋内に挿入して、さらに袋内の空気を除去した。
【００４６】
エレクトレット防塵キャップの使用前の電荷量は、７．５×１０-8クーロンであり、使用後４．２×１０-8クーロンに低下したが、保管して翌朝測定したところ７．４×１０-8クーロンに回復していた（回復率：９９％）。
【００４７】
これを７日間繰り返して保管後の電荷量を測定したところ５．８×１０-8クーロンであった（回復率：７７％）。
【００４８】
実施例３
体積抵抗率８×１０11Ωｃｍ、剛軟度３．１ｃｍの綿織物できた幅２５ｃｍ、長さ３５ｃｍの長方形の保管袋（面積１７５０ｃｍ2 ）で、開口部に面ファスナーをつけて閉じることを可能にした。
【００４９】
この保管袋に、エレクトレット材料とネット材料からなる防塵キャップを８時間使用後に一晩保管した。保管時のエレクトレット材料と袋材との接触面積は、エレクトレット材料の約４５％であった。保管時は袋内の空気を除去して袋にキャップが接触するようマッジクテープで止めた。保管時の最大厚さは１２ｍｍであった。該空気の除去は、キャップを折り畳んで空気除去をすることにより行い、そのあとに該袋内に挿入し、さらに、袋内の空気を排除して面ファスナーで止めれた。
【００５０】
防塵キャップの使用前の電荷量は、８．２×１０-8クーロンであり、使用後５．１×１０-8クーロンに低下したが、保管して翌朝測定したところ、８．２×１０-8クーロンに回復していた（回復率：１００％）。
【００５１】
これを１０日間繰り返して保管後の電荷量を測定したところ５．２×１０-8クーロンであった（回復率：６３％）。
【図面の簡単な説明】
【００５２】
【図１】図１は、本発明に係るエレクトレットキャップの電荷回復保管方法の一例を示す概略モデル正面図である。
【図２】図２は、図１に示した保管状態を側面から見た概略モデル側面図である。
【図３】図３は、保管材料１からなる開口部３を有する保管袋４にエレクトレットキャップ２が保管されている状態をモデル的に示した概略モデル正面図である。
【図４】図４は、図３に概略を示した保管状態を側面から見た状態を示した概略モデル側面図である。
【図５】図５は、保管材料１からなる開口部３を有する保管袋４に、開口部３を閉じるための紐５が取り付けられ、袋内にキャップ２が保管されている状態をモデル的に示した概略モデル正面図である。
【図６】図６は、図５に示した本発明にかかる保管状態をモデル的に示した概略モデル側面図である。
【図７】図７は、フラデーゲージ電荷量測定方法をモデル的に示したものである。
【図８】図８は、キャップ形状の一例を示した概略斜視図である。
【図９】図９は、キャップ電荷量保持率の推移の一例を示した推移図である。
【符号の説明】
【００５３】
１：保管材料
２：エレクトレットキャップ
３：開口部
４：保管袋
５：紐
６：内筒部
７：外筒部
８：エレクトロメーター
【図１】
2006348395.tif 000003
【図２】
2006348395.tif 000004
【図３】
2006348395.tif 000005
【図４】
2006348395.tif 000006
【図５】
2006348395.tif 000007
【図６】
2006348395.tif 000008
【図７】
2006348395.tif 000009
【図８】
2006348395.tif 000010
【図９】
2006348395.tif 000011